(57)【要約】【課題】  従来の保護チューブは円筒状に形成されており、接続現場で保護チューブ２０を光コネクタに直接取り付けることを考えた場合、光コネクタに取付ける際の寸法や形状が合わず、取り付けが困難であり、接着剤や、かしめ等の方法を用いなければならず、作業性や効率が悪化することや、作業時間を多く要するなどの課題があった。【解決手段】  ドロップ光ケーブルやインドア光ケーブルと同等の長辺と短辺との断面矩形状の外形形状を有し、内部に挿通される光ファイバ心線の外形寸法よりも大きな内径寸法を持つ挿通孔が長手方向に沿って形成されている。このため、これらの光ケーブルに取り付け可能な光コネクタに光ファイバ心線を直接取り付けることが可能であり、光コネクタの後部に保護チューブを挿し込む等の簡単な作業で確実に光コネクタ端から光ファイバ心線を保護することができる【選択図】  図１
2008089703.tif 000002
【特許請求の範囲】
【請求項１】
光ケーブルの外被を把持するための外被固定部品を収納する収納部を後方部に備えたメカニカル接続部を備えた光コネクタに対して、光ファイバ心線を取り付ける光コネクタ取付方法において、光コネクタ取付け側の光ファイバ心線を保護チューブから突出させた状態で前記光ファイバ心線を保護チューブに挿通し、前記保護チューブの光コネクタ取り付け側の端部外側に外被固定部品を取り付けて光ファイバ心線を把持し、突出した前記光ファイバ心線に対して光コネクタのメカニカル接続部を取り付けると共に、前記外被固定部品を前記収納部に収容することにより光ファイバ心線端末に光コネクタを取付けることを特徴とする光ファイバ心線への光コネクタ取付方法。
【請求項２】
光ファイバ心線を保護チューブに挿通した後、心線仮固定具を用いて光ファイバ心線の長手方向の動きを一時的に固定し、更に保護チューブに外被固定部品を取り付けた後に、光ファイバ心線の端末処理（被覆除去、ファイバカット）を行い、光コネクタに対して光ファイバ心線の端末を光コネクタ内に挿入してメカニカルスプライス接続し、光コネクタ後方部に外被固定部品を収容して光コネクタの組み立てを行い、その後、心線仮固定具による固定を解除して光ファイバ心線と保護チューブとの長手方向の固定を解除することを特徴とする請求項１に記載の光ファイバ心線への光コネクタ取付方法。
【請求項３】
前半部に内蔵光ファイバが埋め込まれた微細穴を有し後半部に接続しようとする光ファイバを保持するメカニカル接続型の光ファイバ把持部を有する光ファイバフェルールと、前記光ファイバフェルールの後端側に光ケーブルの外被を把持する外被把持部材と、これらを覆うハウジングと、接続される光ファイバ心線と、光ファイバ心線の外周を覆う保護チューブとからなり、保護チューブが光ファイバ心線を覆った状態で外被把持部材に把持され、光ファイバ心線が光ファイバフェルールとメカニカル接続されたことを特徴とする光コネクタ組立体。
【請求項４】
短辺と長辺との断面外形形状を有し、内部に挿通される光ファイバ心線の外形寸法よりも大きな内径寸法を持つ挿通孔が長手方向に沿って形成されたことを特徴とする光ファイバ心線保護チューブ。
【請求項５】
長辺が3.1±0.2mm、短辺が2±0.2mmの断面矩形であることを特徴とする請求項４に記載の光ファイバ心線保護チューブ。
【請求項６】
挿通孔が断面中央部に形成され、その両サイドに抗張力体が配置されていることを特徴とする請求項３もしくは請求項５に記載の光ファイバ心線保護チューブ。
【請求項７】
挿通孔の断面形状が長穴形状（楕円もしくは短辺と長辺の形状）であり、短辺と長辺との断面外形形状に対し直交する方向に形成されていることを特徴とする請求項４乃至請求項６のいずれか１に記載の光ファイバ心線保護チューブ。
【請求項８】
長手方向外周の一部もしくは複数箇所に心線仮固定具が配置され、挿通孔に配置された光ファイバ心線の長手方向の動きを一時的にまたは恒久的に固定する手段が形成されたことを特徴とする請求項４乃至請求項７のいずれか１に記載の光ファイバ心線保護チューブ。
【請求項９】
長辺と短辺とを有する断面矩形状の光ケーブルの外径と同じ外形形状を有し、内部に挿通される光ファイバ心線の外形寸法よりも大きな挿通孔が長手方向に沿って形成された光ファイバ心線保護チューブの互いに対向する両側面から圧縮応力を作用させて前記挿通孔を押し潰し、挿通孔に配置された光ファイバ心線の挿通孔内における長手方向の移動を、一時的にまたは恒久的に固定することを特徴とする心線仮固定具。
【請求項１０】
前記心線仮固定具が、心線保護チューブを挟持する一対の把持部と、一対の把持部の間隔を狭めるための断面凹状のスライド部品から構成され、心線保護チューブ側方から取り付け取り外し可能な構造であることを特徴とする請求項９に記載の心線仮固定具。
【請求項１１】
心線保護チューブの長辺方向を押し潰す方向に応力を付与することを特徴とする請求項９もしくは請求項１０に記載の心線仮固定具。
【発明の詳細な説明】
【技術分野】
【０００１】
本発明は、光ケーブルに直接取り付け可能な光コネクタに対して、光ファイバ心線を取り付ける光ファイバ心線への光コネクタ取付方法、光ファイバ心線を取り付けた光コネクタ組立体、及び、主としてこの取付方法で用いられる光ファイバ心線保護チューブ及び心線仮固定具の構造に関する。
【背景技術】
【０００２】
光通信に用いられる光ファイバ心線は、かなり脆弱であり誤って破損したり過度に小さな径で曲げてしまったりすることがある。
このため、光ファイバ心線の破損等を防止するために、様々な方法による光ファイバ心線の保護が行われている。
代表的なものとして光コード、およびドロップ光ケーブルやインドア光ケーブル等が挙げられる。
【０００３】
これらの光ケーブルは光ファイバ心線の外側に抗張力繊維等を配置し、難燃樹脂等による外被によって保護したものであり、光ファイバ心線に比べて高い機械的強度を持つため、取り扱いが容易である。
とりわけドロップ光ケーブルやインドア光ケーブルはＦＴＴＨ（Ｆｉｂｅｒ  Ｔｏ  Ｔｈｅ  Ｈｏｍｅ）においてユーザ宅近傍およびユーザ宅内での光線路として広く普及しており、また、これらのケーブル同士を接続するためにケーブルに直接取り付け可能な光コネクタが実用化されている。（例えば、特許文献１及び２参照）
【０００４】
これらの光コネクタ４０は、図１９に示すように、前半部に内蔵光ファイバ４１が埋め込まれた微細穴４２を有し後半部にメカニカルスプライス部４３を備えた光ファイバフェルール４４と、光ファイバフェルール４４の後端部側に接続しようとする光ケーブル５０の外被５１を把持する外被固定部品４５と、これらを覆うハウジング４６とで構成されている。
【０００５】
図１７はこれらの光コネクタ４０に光ケーブル５０を接続する手順を示したものである。初め図１７（ロ）に示すように、光ケーブル５０の先端部の外被５１を切り裂き、次に図１７（ハ）に示すように先端部の外被５１を除去して光ケーブル５０の端部から光ファイバ心線５２を露出させ、次に図１７（ニ）に示すように、露出された光ファイバ心線５２の光ケーブル５０の端部の外被５１を外被固定部品４５に挟み込んで光ケーブル５０に外被固定部品４５を固定し、次に図１７（ホ）に示すように、光ファイバ心線５２の被覆５２'を図示しない被覆除去具を用いて外被固定部品４５から一定長残して除去し、更にこれにより露出された裸光ファイバ５３を図示しない光ファイバ切断器を用いて所定長に切断する。
次に図１７（ヘ）に示すように、一定長に切断された裸光ファイバ５３及び保護チューブ２０から突出している所定長の光ファイバ心線５２を光コネクタ４０のメカニカルスプライス部４３に取り付け、光コネクタ４０と光ファイバ心線５２とを光学的に接続し、次に図１７（ト）に示すように、外被固定部品４５を光コネクタ４０のハウジング４６の収納部４６'内に収容し接続作業が完了する。
図１８は外被固定部品４５の一例を示したもので、中央部に長手方向に沿って光ケーブルの外被を圧入可能なスリット４５'が形成されている。こうした光コネクタ接続構造によって、光コネクタ組み立て後に脆弱な光ファイバ心線が露出することがなく、取り扱いが簡単な光コネクタと光ケーブルとの接続部を形成することができる。
【０００６】
【特許文献１】特開2005-114770号公報
【特許文献２】特開2005-265974号公報
【発明の開示】
【発明が解決しようとする課題】
【０００７】
しかしながら、これらの光コネクタは予め外被保護された工場生産の光ケーブルに対してのみ可能であり、単心の光ファイバ心線に保護外被を付けて光ケーブル化して、そこにこれらの光コネクタを取り付けるようなことはできなかった。
このため、例えば多心スロット光ケーブルから光ファイバテープを取り出して光ファイバ心線に分離した後、各光ファイバ心線に光コネクタを取り付けて配線収納箱に収容するような場合、光ファイバ心線を補強なしに使用しなくてはならず、光コネクタの組み立てや光ファイバ心線の余長収容、配線収納箱への光コネクタ設置など全ての工程で光ファイバ心線の取り扱いに注意を必要とし、作業性が悪いという課題があった。
【課題を解決するための手段】
【０００８】
本願はかかる点に鑑みなされたもので、その第１の発明は、光ケーブルの外被を把持するための外被固定部品を収納する収納部を後方部に備えたメカニカル接続部を備えた光コネクタに対して、光ファイバ心線を取り付ける光コネクタ取付方法において、光コネクタ取付け側の光ファイバ心線を保護チューブから突出させた状態で前記光ファイバ心線を保護チューブに挿通し、前記保護チューブの光コネクタ取り付け側の端部外側に外被固定部品を取り付けて、突出した前記光ファイバ心線に対して光コネクタのメカニカル接続部を取り付けると共に、前記外被固定部品を前記収納部に収容することにより光ファイバ心線の端末に光コネクタを取付けることを特徴とする光ファイバ心線への光コネクタ取付方法である。
【０００９】
また本願の第２の発明は、前半部に内蔵光ファイバが埋め込まれた微細穴を有し後半部に接続しようとする光ファイバを保持するメカニカル接続型の光ファイバ把持部を有する光ファイバフェルールと、前記光ファイバフェルールの後端側に光ケーブルの外被を把持する外被把持部材と、これらを覆うハウジングと、接続される光ファイバ心線と、光ファイバ心線の外周を覆う保護チューブとからなり、保護チューブが光ファイバ心線を覆った状態で外被把持部材に把持され、光ファイバ心線が光ファイバフェルールとメカニカル接続されたことを特徴とする光コネクタ組立体である。
【００１０】
本願の第３の発明は、外形がドロップ光ケーブルまたはインドア光ケーブルと同等であり、内部に形成された挿通孔に光ファイバ心線を収容し保護する機能をもった光ファイバ心線保護チューブである。
【００１１】
本願の第４の発明は、長辺と短辺とを有する断面矩形状の光ケーブルの外径と同じ外形形状を有し、内部に挿通される光ファイバ心線の外形寸法よりも大きな挿通孔が長手方向に沿って形成された光ファイバ心線保護チューブの互いに対向する両側面から圧縮応力を作用させて前記挿通孔を押し潰し、挿通孔に配置された光ファイバ心線の挿通孔内における長手方向の移動を、一時的にまたは恒久的に固定することを特徴とする心線仮固定具である。
【発明の効果】
【００１２】
本願第１の発明による組立方法により、光ファイバ心線の補強および光コネクタの取り付けを現場で容易に行うことができる。
また、本願第２の発明による光コネクタ組立体は、光ファイバ心線と光コネクタとの接続部を機械的に強化されたものとなる。
また本願第３の発明による保護チューブは外形形状および寸法がドロップ光ケーブルやインドア光ケーブルと略同一であるため、既存の光コネクタに適用することができる。
また本願第４の発明による心線仮固定具を用いて保護チューブの挿通孔内に挿入された光ファイバ心線を一時的に固定することによって、従来の光ケーブルの場合と同様の組立手順にて光コネクタを取り付けできる。
【発明を実施するための最良の形態】
【００１３】
以下、本発明を図示した実施形態により説明する。
図１は本願第１及び第２の発明の一実施形態を説明するためのものである。図１において、１０は図示しない多心スロット光ケーブルから光ファイバテープを取り出して単心に分離された光ファイバ心線、２０は本願の第２発明に係る保護チューブ、４０は光コネクタである。光コネクタ４０は図１７に示す光コネクタ４０と同一構造のものである。
図２は本願第３発明の保護チューブ２０の一実施形態を示したものである。保護チューブ２０は、断面外形形状が略四角形に構成されており、概ねドロップ光ケーブルやインドア光ケーブルと同等、すなわち、おおよそ2.0×3.1mm程度に形成されている。
保護チューブ２０中心には、全長にわたって光ファイバ心線収容部として、楕円形状の挿通孔２１が形成されている。挿通孔２１の長軸および短軸はそれぞれ保護チューブ２０の長辺および短辺と直交する向きとなっており、長軸の長さは1.4mm、短軸は0.75mmである。
保護チューブ２０の外被２２の素材は、各種の機械的特性を確保することや、既存の光ケーブル用固定部品の適用を考慮して、従来のインドア光ケーブルと同等の難燃ポリオレフィン等の樹脂が使用される。
【００１４】
保護チューブ２０内には、挿通孔２１の両側部にアラミド繊維ロッドによる抗張力体２３が配置されていて、従来のドロップ光ケーブルやインドア光ケーブルと同等の耐張力特性や曲げ剛性を持っていることが望ましい。より剛性が必要な場合には、抗張力体２３はアラミド繊維ではなく鋼線を使用しても良い。
また保護チューブ２０は特殊な工具を使用することなく、素手で千切るなどして長手方向に引き裂き可能であることが望ましい。これを容易にするために、例えば保護チューブ２０の対向する１組の面上に、全長にわたって１対のノッチ２４を設ける等の工夫も可能である。
【００１５】
挿通孔２１は光ファイバ心線の外径よりも大きく形成されているため、光ファイバ心線１０を挿通孔２１内に通すことは容易である。
【００１６】
図３及び図４は本願第４発明に係る心線仮固定具３０の一実施形態を示したものである。この心線仮固定具３０は、固定具本体３１とスライダ３５とで構成されている。
固定具本体３１は、長方形の板状体の中央部がくり抜かれた中空部３１ａを有し、短片側の両端部には保護チューブ２０の長辺よりも少し間隔の広い保護チューブ載置溝３１ｂが形成されている。更に前記中空部３１ａ内には短辺側の一端から他端に向かって保護チューブ載置溝３１ｂと略同一の隙間を隔てた一対の平行アーム３１ｃが、この平行アーム３１ｃの外側にも隙間３１ｄを形成されて配置されている。更にその平行アーム３１ｃの先端部には、内側に突出する応力付与部３１ｃ'と、外側に肥大する作用部３１ｃ''とが形成されている。
【００１７】
スライダ３５は、前記一対の平行アーム３１ｃの外側の隙間３１ｄよりもやや広い間隔を隔てた一対のスライダ片３５ａが、平行アーム３１ｃの外側に形成された隙間３１ｄよりも狭い肉薄で板状体３５ｂの一方の面に形成された構造になっている。また、スライダ片３５ａの先端には、外側に向かって突出するはずれ防止片３５ａ'が形成されている。このため、図３に示すように、一対のスライダ片３５ａが隙間３１ｄに差し込まれた際に、スライダ３５が隙間３１ｄから抜き出ることなく、隙間３１ｄを移動可能に構成されている。そして更に、スライダ片３５ａが作用部３１ｃ''に達すると、スライダ片３５ａは肥大になっている作用部３１ｃ''に応力を作用して一対の平行アーム３１ｃの先端を狭めるように作用する。
【００１８】
このため、スライダ片３５ａが作用部３１ｃ''に対して応力を作用させない状態で、光ファイバ心線を挿通孔に挿入された保護チューブを保護チューブ載置溝３１ｂ及び平行アーム間に横向きに設置して、スライダ３５を作用部３１ｃ''に移動させることにより、応力付与部３１ｃ'相互の間隔が狭まり、その間に配置される保護チューブを長辺方向に圧縮し、挿通孔２１を押し潰して内部に収容された光ファイバ心線を保護チューブと一体に固定させることができる。また、この固定を解除するには前記スライダ３５を元の状態に移動させることにより可能である。
【００１９】
次に、図５により、これら保護チューブ２０及び心線仮固定具３０を使用して、図示しない多心スロット光ケーブルから取り出された光ファイバテープ１０ａを単心分離して構成された各光ファイバ心線１０を、従来の光コネクタ４０に取付ける方法を説明する。
図５（イ）には、上記光ファイバテープ１０ａを単心分離して構成された各光ファイバ心線１０が示されている。
次に図５（ロ）に示すように、光ファイバ心線１０の上に保護チューブ２０を被せる。
次に図５（ハ）に示すように、接続側の保護チューブの端部に外被固定部品４２を取り付けると共に、保護チューブ２０の途中に心線仮固定具３０を取り付けて保護チューブ２０とその内部の挿通孔に収容された光ファイバ心線を仮固定する。
次に図５（ニ）に示すように、光ファイバ心線１０の被覆層を図示しない被覆除去具を用いて外被固定部品４５から一定長残して除去し、更にこれにより除去された裸光ファイバ１０'を図示しない光ファイバ切断器を用いて所定長に切断する。
次に図５（ホ）に示すように、一定長に切断された裸光ファイバ１０'及び保護チューブ２０から突出している所定長の光ファイバ心線１０を光コネクタ４０のメカニカルスプライス部４３に取り付け、光コネクタ４０と光ファイバ心線１０とを光学的に接続する。
次に図５（ヘ）に示すように、外被固定部品４３を光コネクタ４０のハウジング４６の収納部４６'内に収容すると共に、心線仮固定具３０を取り外し接続作業が完了する。
【００２０】
上記のように、心線仮固定具３０によって、光ファイバ心線１０と保護チューブ２０とを仮固定しているため作業中に光ファイバ心線と保護チューブ２０が長手方向に相対的にずれてしまうことがなく、光コネクタ４０に適した寸法で適切に端末処理することができる。
なお、心線仮固定具３０の取り付け位置は、組立作業の妨げにならない範囲で接続側の保護チューブの端部にできるだけ近いことが望ましい。なぜなら光ファイバ心線１０は挿通孔２１内で必ずしも中心に留まるわけではなく、偏った軌跡を通ったり蛇行したりすることで、わずかながら光ファイバ心線１０の保護チューブ端部からの突出量が変動する余地があるためであり、この影響を少なくするためである。
【００２１】
こうして取り付けられた光コネクタ４０および保護チューブ２０は、光コネクタ４０付近では外観上は図１７に示す光ケーブルに光コネクタ４０を取り付けた状態と何ら差異がなく、また保護チューブ２０の強度を光ケーブルと同等としたことにより、容易に取り扱いができる。
またコネクタ組立後に心線仮固定を解除して再び光ファイバ心線と保護チューブ２０が相互固定されていない"ルース"な状態にすることができるため、従来の光ケーブル外被固定型の光コネクタにありがちであった光コネクタハウジング内での光ファイバ心線の余長たわみをも解消することができ、従来以上の低損失化を望めるという効果もある。
【００２２】
図６は本発明の保護チューブ２０の他の実施形態を示したものである。
図６において、保護チューブ２０の外形は第一の実施例と同一であるが、挿通孔２１の形状が長辺1.4mm、短辺0.75mmの略長方形をしている。また本実施例では抗張力体２３として、アラミド繊維が使用されている。
なお、挿通孔２１の寸法や抗張力体２３の材質は、必ずしも本明細書に示されたものに限定されるものではなく、保護チューブ２０の機械的強度や挿通孔２１への光ファイバ心線１０の挿入性や挿通孔２１の押し潰し易さを確保する範囲において、異なる設計をとることが可能である。
【００２３】
図７は本発明の更に異なる保護チューブ２０の実施形態を示したものである。
この保護チューブ２０は、挿通孔２１の両側に外被２２よりも硬質なナイロン等の介在２６を配した構成である。
【００２４】
図８は本願第３の発明である心線仮固定具３０の異なる実施の形態を示したものである。本実施形態の心線仮固定具３０は固定具本体３２とスライダ３６とで構成されている。固定具本体３２は、図１０に示すように、一対の平行アーム３２ａが前記保護チューブ２０の外形寸法よりもやや広い間隔を隔てて配置され、それぞれの一端側で互いに連結され、他端側が開放となっている。更に、平行アーム３２ａの開放端側の外側に突出する肥大部３２ｂが形成されている。平行アーム３２ａの下方には互いに内側に突出する凸状体３２ｃが形成され、この凸状体３２ｃによって保護チューブを平行アーム３２ａ間に配置した場合に落下しないようになっている。
【００２５】
スライダ３６は、図９に示すように、中央部分に前記一対の平行アーム３２ａの外側間の間隔よりもやや広い間隔の平行溝３６ａが形成され、この平行溝３６ａ間に平行アーム３２ａを収納した状態で平行アーム３２ａの長手方向にスライド可能に構成されている。そして、スライダ３６が平行アーム３２ａに形成された肥大部３２ｂに移動したときに、肥大部３２ｂ間の間隔を狭め、図３に示す心線仮固定具３０と同様に、平行アーム３２ａ間に配置された保護チューブ２０を圧縮することができるようになっている。
【００２６】
図１１は本願第３の発明である心線仮固定具３０の更に異なる実施形態を示したものである。本実施形態の心線仮固定具３０は固定具３７とスライダ３３とで構成されている。固定具３７は、図１２に示すように、一対のコの字状の把持具３７ａに形成された貫通溝３７ｂ間に保護チューブ２０を挟み込み、互いに三角形状に嵌合できるように構成されている。スライダ３３は、図１３に示すように、中央部にテーパ溝３３ａが構成され、このテーパ溝３３ａに前記三角形状に嵌合された固定具３７を収納できるように構成されている。そして、固定具３７をテーパ溝３３ａの広い方から狭い方の方向にスライドさせた時に、把持具３７ａの双方が互いに狭まり、貫通溝３７ｂ内に配置された保護チューブ２０が圧縮を受けるようになっている。コの字状の把持具３７ａの一方または両方の内側には爪状の突起３７ｃが設けられ、保護チューブの外被を局所的に圧縮する。さらに、一方または両方の把持具３７ａの外側には弾性を有する係止ラッチ爪が設けられ、スライダ３３のテーパ溝３３ａに形成された鋸状段差部に順次係止させることで段階的に把持具３７ａ同士の間隔を縮小し、保護チューブ２０の圧縮を行うことができる。
【００２７】
図１４は本願第３の発明である心線仮固定具３０の更に異なる実施形態を示したものである。本実施形態の心線仮固定具３０は固定具本体３４とスライダ３８とで構成されている。本実施形態では、図１５に拡大表示したように、中央部分に光ファイバ心線固定用のレール３４ａが形成され、両端に保護チューブを把持固定するスリット３４ｂが形成された把持具３４ｃが形成されている。本実施形態の心線仮固定具３０では、その両側のスリット３４ｂに保護チューブ２０を把持固定し、両保護チューブを挿通する光ファイバ心線１０をレール３４ａの間に設置する構成である。
レール３４ａの中央部は外側に向けて肉厚が肥大しており、ここにスライダ３８を作用させることでレール３４ａの内幅を縮小させ、その間に配置された光ファイバ心線１０を直接挟み固定することができる。
【００２８】
図１６は本願第２の発明の更に異なる実施形態の保護チューブ２０を示したものである。本実施形態のものは、保護チューブ２０の一部の領域において、外被２２の一部を除去した構造とすることで部分的に圧縮応力に対して潰れ易くし、図３、図８、図１１に示した形態の心線仮固定具３０で外被２２の除去部分２０'を潰すことにより、一層容易に光ファイバ心線１０の固定を行なえるようにしたものである。
【図面の簡単な説明】
【００２９】
【図１】本願第１発明の一実施形態を示す平面図。
【図２】本願第２発明の一実施形態を示す斜視図。
【図３】本願第３発明の一実施形態を示す斜視図。
【図４】図３の分解斜視図。
【図５】イ〜ヘはそれぞれ本願第１発明の一実施形態の作業手順を示す説明図。
【図６】本願第２発明の他の実施形態を示す斜視図。
【図７】本願第２発明の更に異なる他の実施形態を示す端面図。
【図８】本願第３発明の他の実施形態を示す斜視図。
【図９】図８の要部部品の斜視図。
【図１０】図９と異なる図８の要部部品の斜視図。
【図１１】本願第３発明の更に異なる他の実施形態を示す斜視図。
【図１２】図１１の要部部品の斜視図。
【図１３】図１２と異なる図１１の要部部品の斜視図。
【図１４】本願第３発明の更に異なる他の実施形態を示す要部断面側面図。
【図１５】図１４の要部拡大断面図。
【図１６】本願第２発明の更に異なる他の実施形態を示す斜視図。
【図１７】従来の一例を示す作業手順を示す説明図。
【図１８】従来の光コネクタの要部平面図。
【図１９】従来の光コネクタ及び本発明で用いられる光ケーブル用光コネクタの要部断面側面図。
【符号の説明】
【００３０】
１０    光ファイバ心線
１０'    裸光ファイバ
２０    保護チューブ
２１    挿通孔
２２    外被
２３    抗張力体
２４    ノッチ
２６    介在
３０    心線仮固定具
３１    固定具本体
３１ａ    中空部
３１ｂ    保護チューブ載置溝
３１ｃ    平行アーム
３１ｃ'    応力付与部
３１ｃ''    作用部
３１ｄ    隙間
３２    固定具本体
３２ａ    平行アーム
３２ｂ    肥大部
３２ｃ    凸状体
３３    スライダ
３３ａ    テーパ溝
３４    固定具本体
３４ａ    レール
３４ｂ    スリット
３４ｃ    把持具
３５    スライダ
３５ａ    スライダ片
３５ｂ    板状体
３６    スライダ
３６ａ    平行溝
３６ａ'    はずれ防止片
３７    固定具
３７ａ    把持具
３７ｂ    貫通溝
３７ｃ    突起
３８    スライダ
４０    光コネクタ
４１    内蔵光ファイバ
４２    微細孔
４３    メカニカルスプライス部
４４    光ファイバフェルール
４５    外被固定部品
４２'    スリット
５０    光ケーブル
５１    外被
５２    光ファイバ心線
５２'    被覆
５３    裸光ファイバ
【図１】
2008089703.tif 000003
【図２】
2008089703.tif 000004
【図３】
2008089703.tif 000005
【図４】
2008089703.tif 000006
【図５】
2008089703.tif 000007
【図６】
2008089703.tif 000008
【図７】
2008089703.tif 000009
【図８】
2008089703.tif 000010
【図９】
2008089703.tif 000011
【図１０】
2008089703.tif 000012
【図１１】
2008089703.tif 000013
【図１２】
2008089703.tif 000014
【図１３】
2008089703.tif 000015
【図１４】
2008089703.tif 000016
【図１５】
2008089703.tif 000017
【図１６】
2008089703.tif 000018
【図１７】
2008089703.tif 000019
【図１８】
2008089703.tif 000020
【図１９】
2008089703.tif 000021